(57)【特許請求の範囲】
【請求項１】
排水マットと遮根シートと植生マットとを下側から順番に建築物に設置してなる薄層緑化積層体の側縁に沿って配置される薄層緑化設備用仕切材であって、
前記建築物に対する固定部と、薄層緑化積層体の外側面に沿って配置される板状の仕切部とを有し、
前記遮根シートに対面する位置よりも下側における仕切部の下部にのみ、その略全長にわたって、複数の排水孔を打抜金網状に形成してなる排水部を設けた、
ことを特徴とする薄層緑化設備用仕切材。
【請求項２】
前記仕切部の単位長さ当たりの排水孔の総開口面積を１２０００〜３００００ｍｍ2／ｍに設定した請求項１記載の薄層緑化設備用仕切材。
【請求項３】
前記固定部を仕切部の下端から側方へ略水平に延ばして、その上に薄層緑化積層体の側縁部を設置可能となし、薄層緑化積層体の下部に配置される排水マットの側端位置を位置規制するための位置決め部を、仕切部から一定距離隔てた位置において固定部に、固定部の長さ方向に間隔をあけて立起可能に複数形成した請求項１又は２記載の薄層緑化設備用仕切材。
【請求項４】
建築物に敷設した防水シートと、
前記防水シート上に設置した薄層緑化積層体と、
前記薄層緑化積層体の側縁に沿って設けた請求項１〜３のいずれか１項記載の薄層緑化設備用仕切材と、
を備えたことを特徴とする薄層緑化設備。
【請求項５】
前記仕切材として位置決め部を立起させた請求項３記載の仕切材を用い、位置決め部に排水マットの側縁を当接させて薄層緑化積層体を設置し、薄層緑化積層体の排水マットと仕切部間に一定幅の排水溝を形成した請求項４記載の薄層緑化設備。
【請求項６】
前記仕切材を直列状に連結する連結手段であって、薄層緑化積層体との対面側において、隣接する仕切材の仕切部と固定部とにわたって密接配置され、仕切材の排水孔に対応させて排水孔を形成してなる連結板と、連結板を両仕切材の仕切部にそれぞれ固定するボルトとを有する連結手段を設けた請求項４又は５記載の薄層緑化設備。
【発明の詳細な説明】
【０００１】
【発明の属する技術分野】
本発明は、薄層緑化積層体の側縁に沿って設けられる薄層緑化設備用仕切材及びそれを用いた薄層緑化設備に関する。
【０００２】
【従来の技術】
近年、温暖化等に対する都市環境の改善を目的として、ビルやマンション等の屋上や家屋における屋根上のスペースを有効活用して設置可能な屋上緑化設備が普及しつつある。
このような屋上緑化設備としては、屋上庭園タイプと薄層緑化タイプが実用化されており、特に薄層緑化タイプの屋上緑化設備（以下、薄層緑化設備と称する。）は、屋上庭園タイプの屋上緑化設備と比較して格段に軽量で、既設の建築物に対しても容易に適用できること、排水性を良好に維持できるとともに建築物の屋上表面の温度変化を抑制できるので、建築物の耐久性を向上できること、建築物の遮温性と保温性が高くなり光熱費を低減できること、などの優れた利点を有することから注目されている。
【０００３】
前記薄層緑化設備としては、建築物に防水シートを敷設し、その上に排水マットと遮根シートと植生マットとを下側から順番に積層してなる薄層緑化積層体を設置したものが実用化されている。そして、植生マットとして、耐乾性に優れたセダム類を中心とした植生を薄い培土に植え付けてマット状にしたものを用いることで、薄層緑化積層体に対する保水量を低く設定可能となし、薄層緑化積層体の重量を軽減するとともに、温度変化の低減と紫外線の遮断による建築物の耐久性の低下を防止できるように構成されている。
【０００４】
また、前記薄層緑化設備において、薄層緑化積層体の側縁に沿って配置される仕切材として、例えば特開２００１−１９０１５２号公報には、薄層緑化積層体と建築物間に配置される固定部と、固定部の側縁から上方へ延びて薄層緑化積層体の外側面に沿って配置される板状の仕切部と有し、帯板をその途中部において略Ｌ字状に折曲してなる仕切材が提案されている。また、この公報に記載には、仕切材の固定方法として、天井スラブに対してボルトを打ち込んで仕切材を固定する方法が記載されるとともに、降雨水の排水孔として、仕切部の下端部に長さ方向に間隔をあけて形成した角穴状の排水孔が記載されている。
【０００５】
【発明が解決しようとする課題】
ところで、前記薄層緑化設備は、ここ２〜３年前の比較的最近になって注目された緑化設備であることから、その構成について、まだ十分な検討がなされていない。例えば、降雨水の排水に関して、本出願人は次のような問題を有することを見出した。
【０００６】
この薄層緑化設備では、耐乾性に優れたセダム類を中心とした植生を用いることから、排水性を良好にできるという利点を有しているが、前記公報に記載の仕切材のように間隔をあけて排水孔を形成すると、排水マットにおける水平方向への排水抵抗により、図９に示す薄層緑化設備１００のように、隣接する排水孔１０１間において薄層緑化設備１００の外縁付近のハッチングで示す領域１０２に、降雨水の滞留し易い部分が発生する。そして、降雨水が多くなると、該領域１０２に滞留する降雨水が仕切材１０３を乗り越えて外部に溢れ出し、この越流水とともに植生マットの培土が外部に流失して、引いては植生が枯れるという致命的な問題に発展することがあった。
【０００７】
また、薄層緑化設備の中央部においても、前述のように仕切材における排水が円滑になされないことから、降雨水の水位が上昇し易くなり、植生マット内にまで溢れた降雨水の流れとともに培土が薄層緑化設備の外縁側へ移動し、培土の少ない領域が発生する。特に、培土として水よりも軽い軽量土壌を使用すると、植生マット内に溢れた降雨水の流れによる培土の移動が促進され、しかも植生の上部側へ培土が移動して、風により飛ばされ易くなることから、培土の移動や流失の問題がさらに助長される。
【０００８】
また、前記公報に記載の仕切材では、スラブに対して仕切材をボルトで固定する関係上、防水シートにボルトの挿通孔が形成され、該部分から降雨水がスラブと防水シート間に流れ込んだり、ボルトとスラブ間の隙間を通ってスラブに染み込み、建築物に悪影響を及ぼすという問題もある。
【０００９】
更に、薄層緑化設備で使用されている仕切材は、前記公報に記載の仕切材のように建築物に対して個別に固定しているが、相互に連結しないのが一般的である関係上、前述のようなボルトを用いないで仕切材を固定する場合、即ち接着剤等で仕切材を固定する場合には、建築物に対する十分な取付強度を確保することが困難になり、強風等で仕切材が吹き飛ばされることも考えられる。
【００１０】
本発明の目的は、排水材の特性を踏まえた排水構造を採用することで、排水性能を十分に確保して、薄層緑化設備の耐久性を向上可能な薄層緑化設備用仕切材及びそれを用いた薄層緑化設備を提供することである。
【００１１】
【課題を解決するための手段及びその作用】
本発明に係る薄層緑化設備用仕切材は、排水マットと遮根シートと植生マットとを下側から順番に建築物に設置してなる薄層緑化積層体の側縁に沿って配置される薄層緑化設備用仕切材であって、前記建築物に対する固定部と、薄層緑化積層体の外側面に沿って配置される板状の仕切部とを有し、前記遮根シートに対面する位置よりも下側における仕切部の下部にのみ、その略全長にわたって、複数の排水孔を打抜金網状に形成してなる排水部を設けたものである。
【００１２】
この仕切材においては、仕切部の下部にのみその略全長にわたって、複数の排水孔を打抜金網状に形成してなる排水部を設けることにより、排水孔の総開口面積を十分に確保できるとともに、排水孔を仕切材の全長にわたって略均一に分散できる。このため、薄層緑化積層体から外部への排水を円滑に且つ仕切材の全長にわたって均一に行うことが可能となり、仕切材の排水不良に起因する、薄層緑化設備の部分的な降雨水の上昇や、仕切材における降雨水の越流を防止して、降雨水による培土の流失や移動、風による消失を効果的に防止できる。
【００１３】
また、薄層緑化積層体としては、排水マットと遮根シートと植生マットを順次積層したものが広く採用されており、遮根シートよりも上側に排水部を形成すると、排水孔からセダム等の植生の根が外部へ伸びて、薄層緑化設備の外観が低下するので、排水部は遮根シートに対面する位置よりも下側にのみ形成することが好ましい。
【００１４】
前記仕切部の単位長さ当たりの排水孔の総開口面積を１２０００〜３００００ｍｍ2／ｍに設定したものである。仕切部の単位長さにおける排水孔の総開口面積が３００００ｍｍ2／ｍよりも大きいと、排水部における部材の強度を十分に確保できず、また１２０００ｍｍ2／ｍよりも小さいと、十分な排水性能を確保できないので、１２０００〜３００００ｍｍ2／ｍに設定することが好ましい。
【００１５】
前記固定部を仕切部の下端から側方へ略水平に延ばして、その上に薄層緑化積層体の側縁部を設置可能となし、薄層緑化積層体の下部に配置される排水マットの側端位置を位置規制するための位置決め部を、仕切部から一定距離隔てた位置において固定部に、固定部の長さ方向に間隔をあけて立起可能に複数形成してもよい。このように構成すると、仕切材を薄層緑化積層体の側縁に沿って施工するときに、位置決め部を立起させて、位置決め部が薄層緑化積層体の下部に配置される排水マットの側縁に当接するように仕切材を施工することで、仕切部と薄層緑化積層体の排水マット間に一定幅の排水溝を容易に形成することが可能となる。そして、このような排水溝を形成することで、仕切部の長さ方向の各部における、排水マットから仕切部へ供給される降雨水量のバラツキを排水溝内において平滑にして、薄層緑化積層体から外部への排水を仕切材の全長にわたってより均一に行うことが可能となり、仕切材の排水性能を一層向上することが可能となる。また、位置決め部は予め立起させておいてもよいが、施工時に立起させるように構成すると、仕切材をコンパクトに重ねて配置できるので、輸送性や保管性を改善する上で好ましい。更に、このような位置決め部を設けると、地震等による排水マットの水平方向に対する位置ズレを防止できるので好ましい。
【００１６】
本発明に係る薄層緑化設備は、建築物に敷設した防水シートと、前記防水シート上に設置した薄層緑化積層体と、前記薄層緑化積層体の側縁に沿って設けた請求項１〜４のいずれか１項記載の薄層緑化設備用仕切材とを備えたものである。この薄層緑化設備では、前述した本発明に係る仕切材を用いているので、前記と同様の作用が得られる。
【００１７】
ここで、前記仕切材として位置決め部を立起させた請求項３記載の仕切材を用い、位置決め部に排水マットの側縁を当接させて薄層緑化積層体を設置し、薄層緑化積層体の排水マットと仕切部間に一定幅の排水溝を形成してもよい。この場合には、仕切部の長さ方向の各部における、排水マットから仕切部へ供給される降雨水量のバラツキを排水溝内において平滑にして、薄層緑化積層体から外部への排水を仕切材の全長にわたってより均一に行うことが可能となり、仕切材の排水性能を一層向上することが可能となる。
【００１８】
前記仕切材を直列状に連結する連結手段であって、薄層緑化積層体との対面側において、隣接する仕切材の仕切部と固定部とにわたって密接配置され、仕切材の排水孔に対応させて排水孔を形成してなる連結板と、連結板を両仕切材の仕切部にそれぞれ固定するボルトとを有する連結手段を設けてもよい。この場合には、複数の仕切材を相互に連結できるので、薄層緑化設備における仕切材の取付強度を格段に向上できる。また、仕切部と固定部とにわたって連結板を密接させるので、曲げや捻れに対する仕切材の連結強度を十分に確保できる。
【００１９】
【発明の実施の形態】
以下、本発明の実施の形態について、図面を参照しながら説明する。
図１に示すように、薄層緑化設備１は、建築物２のスラブや屋根上に敷設した防水シート３と、防水シート３上に設置した薄層緑化積層体４と、薄層緑化積層体４の側縁に沿って設けた仕切材１０とを備えている。
【００２０】
防水シート３としては、加硫ゴム系、非加硫ゴム系、塩化ビニル樹脂系、エチレン酢酸ビニル樹脂系、改質アスファルト系などの周知の防水シートを採用でき、この防水シート３は建築物２のスラブや屋根に敷設され、接着剤により建築物２に固定されている。防水シート３の敷設範囲は、少なくとも薄層緑化積層体４の下側の領域全体に形成されていればよいが、薄層緑化積層体４からはみ出して設けてもよい。また、防水シート３に代えて、防水塗料を塗布したり吹き付けたりして、防水性を有するプライマー層を形成してもよいし、建築物２に形成されている既設の防水層をそのまま利用してもよい。
【００２１】
薄層緑化積層体４は、排水マット５と遮根シート６と植生マット７とを下側から順番に積層してなるもので、既設の建築物２に対して施工できるように、その重量は建築基準法の許容積載荷重に準拠して１８０ｋｇ／ｍ2以下、好ましくは２０〜６０ｋｇ／ｍ2に設定したもので、適当間隔おきに配置した図示外の固定具を介して防水シート３に固定されている。
【００２２】
植生マット７は、アルブム、タイトゴメ、リフレクサム、マルバマンネン、メキシコマンネンなどのベンケイソウ科に属するセダム類や芝生などのように、比較的乾燥に強い植生を薄い培土に植え付けてマット状にした、周知の構成のものである。
【００２３】
遮根シート６は、植生マット７からの水は通すが植生の根の通過を阻止するもので、合成繊維や天然繊維からなる透水性に優れた織布や不織布で構成され、その側端部は植生マット７の側縁に沿って上方へ折曲されている。この遮根シート６としては任意の厚さのものを採用できるが、薄層緑化積層体４の厚さをできるだけ薄肉軽量に構成するため、植生の根の通過を阻止できる範囲で極力薄肉に構成することが好ましく、例えば厚さ２ｍｍ以下に設定することになる。
【００２４】
排水マット５は、遮根シート６を通過した植生マット７からの水を薄層緑化積層体４外へ円滑に排出するためのもので、合成樹脂材料からなる繊維材を押出成形法によりマット状に成形し、必要な耐圧強度を確保しつつ大きな空隙を持つ立体網状構造体に構成されている。より具体的には、排水マット５の上面部は遮根シート６を受けるため密な網状構造に構成され、下部は水を速やかに排水できるように、空隙の多い網状構造に構成されている。尚、この排水マット５が排水材に相当する。
【００２５】
排水マット５の素材としては、耐環境性に優れ十分な耐圧強度を確保できるものであれば任意の素材を採用でき、例えばポリエチレンやポリプロピレンやポリエチレンテレフタレートなどの合成樹脂材料を好適に利用できる。特に、ポリプロピレンは、耐酸性、耐アルカリ性、耐微生物性などに優れた特性を有するので好適である。尚、このような構成以外の排水マット５を採用してもよい。
【００２６】
排水マット５は、隙間なく密に配置することも可能であるが間隔をあけて配置すると、隣接する排水マット５間の隙間を排水溝として活用できるので、排水性能を向上する上で好ましい。但し、この場合には、隣接する複数の排水マット５にわたって遮根シート６と植生マット７とを敷設することになる。
【００２７】
次に、仕切材１０について説明する。
仕切材１０は、図１〜図３に示すように、ステンレス板や鉄板などの金属製の一定長さの帯板をその幅方向の途中部において約９０°折曲して断面略Ｌ字状に形成したもので、薄層緑化積層体４の側縁部と防水シート３間に配置される固定部１１と、固定部１１の側縁から薄層緑化積層体４の側面に沿って上方へ延びる仕切部１２とを備えている。この仕切材１０は、後述する連結手段１３を介して長さ方向に連結され、薄層緑化積層体４の外側縁に沿って連続的に配置されている。尚、鉄板のように錆びやすい素材で構成する場合には、加工後に防錆処理を施すことになる。
【００２８】
仕切部１２の上端部には折返部１４が形成され、仕切材１０の強度アップと、仕切材１０を取り扱う際における安全性を向上するように構成され、仕切部１２の下半部には、複数の排水孔１５が打抜金網状（パンチングメタル状）に一体形成され、これら複数の排水孔１５により降雨等を薄層緑化積層体４から外部へ排水するための排水部１６が形成されている。
【００２９】
排水孔１５の形状は、丸孔状や角穴状、細長いスリット状や十文字状、ハート形や星形、或いはこれらの組み合わせなど任意の形状に形成可能である。また、図３に示すように千鳥状に配置してもよいし、縦横の行列状に配置してもよい。更に、スリット状に形成する場合には、縦方向に細長く形成してもよいし、横方向に細長く形成してもよいし、斜め方向に細長く形成してもよい。更に、全ての排水孔１５は、同じサイズに設定してもよいが、意匠性を向上させるなどの目的で、異なるサイズの排水孔１５を形成してもよいく、例えば上側へ行くにしたがってサイズを小さく設定してもよい。
【００３０】
排水孔１５は仕切部１２の全面に設けることも可能ではあるが、仕切部１２の強度が低下するので、仕切部１２の下半部にのみ形成することが好ましい。より具体的には、図１に示すように、排水孔１５は仕切部１２の遮根シート６に対応する位置よりも下側に配置され、植生の根が排水孔１５から外部へ延びることによる、薄層緑化設備１の外観低下が防止されるように構成されている。また、排水性能をできるだけ良好に確保するため、仕切部１２の下端部まで形成することが好ましい。特に、排水孔１５の一部が固定部１１側に形成されるように構成すると、固定部１１と仕切部１２との境界部にまで排水孔１５を形成することが可能となり、排水性を向上できるとともに、仕切材１０をＬ字状に折り曲げて仕切部１２と固定部１１とを形成するときの加工性を向上できるので好ましい。但し、図２では、固定部１１と仕切部１２の境界部が最下端の排水孔１５の途中部に位置するように仕切材１０を折り曲げたが、該境界部が幅方向の途中部の排水孔１５に位置するように仕切材１０を折り曲げてもよい。また、図１に示すように、遮根シート６の外縁部を上方へ折曲させる場合には、遮根マット６の上端位置まで排水孔１５を形成してもよい。更に、遮根シート６の上縁部を折返部１４内に装着して、排水孔１５を仕切部１２の上端部まで形成してもよい。
【００３１】
排水孔１５の直径は、排水性を十分に確保しつつ仕切部１２の強度を十分に確保するため４〜６ｍｍに設定することが好ましい。排水マット５に対面する部分における仕切部１２の単位長さあたりに対する排水孔１５の総開口面積は、１２０００〜３００００ｍｍ2／ｍに設定され、また排水部１６における排水孔１５の開口率は３０〜６５％に設定されている。このように設定すると、十分な排水性能を確保しつつ、仕切材１０の機械的強度を向上できるので好ましい。
【００３２】
固定部１１には先端部を仕切部１２の下端に位置させた三角形状の折曲用切欠部１７が一定間隔おきに形成され、この折曲用切欠部１７において仕切材１０を薄層緑化積層体４の外縁に沿って折曲できるように構成されている。折曲用切欠部１７の個数は任意に設定可能であるが、間隔が広すぎると薄層緑化積層体４の側縁に沿って配置させる事が困難になり、狭すぎると、固定部１１の強度を十分に確保できないことから、２００〜３００ｍｍに１つの割合で形成することが好ましい。
【００３３】
折曲用切欠部１７の形状は三角形状に形成したが、少なくと固定部１１の側縁から仕切部１２の下端部まで切り欠かれているものであれば、台形状や細長いスリット状に形成することも可能である。
【００３４】
排水部１６は仕切部１２の全長にわたって連続的に形成することも可能であるが、図５に示す仕切材１０Ａのように間欠的に形成して、隣接する排水部１６間に排水孔１５を有しない補強部１８を形成してもよい。補強部１８の幅は任意に設定可能であるが、広すぎると排水孔１５の開口面積が少なくなって排水性能が低下し、狭すぎると十分な強度アップを期待できないので、２０〜１００ｍｍの範囲に設定することが好ましい。また、この補強部１８を折曲用切欠部１７に対応させて形成し、折曲用切欠部１７における仕切材１０の強度低下を補償して、仕切材１０が折曲用切欠部１７において折曲することによる取扱性の低下を防止してもよい。
【００３５】
図１〜図５に示すように、固定部１１の長さ方向の途中部には仕切部１２から一定の間隔をあけて略Ｕ字状の立起用切欠部２０が形成され、立起用切欠部２０の仕切部１２側の両端部には折目線２１に沿って内側へ延びる折曲案内用の切欠部からなる折曲案内部２１ａが形成され、立起用切欠部２０と折目線２１とで囲まれる部分には略台形状の位置決め部２２が形成され、この位置決め部２２は、下側から手指で押し操作することで、折目線２１に沿って折れ曲がって、固定部１１の上側に略垂直に立起するように構成されている。尚、位置決め部２２は、予め立起させておいてもよいが、仕切材１０をコンパクトに重ねることができなくなるので、必要に応じて立起させることが好ましい。また、折曲案内部２１ａとしては、切欠部以外に折り目やミシン目などを形成してもよいし、これらを組み合わせて形成してもよい。
【００３６】
この位置決め部２２は、図１に示すように、薄層緑化積層体４の側縁に仕切材１０を施工するときに、位置決め部２２を排水マット５の側縁に当接するまで固定部１１を排水マット５と防水シート３間に挿入することで、排水マット５と仕切部１２間に一定幅の排水溝８が容易に形成されるようにするためのものである。そして、このように排水マット５と仕切部１２間に排水溝８を形成することで、排水孔１５が排水マット５で塞がれて仕切材１０における排水性能の低下が防止されることになる。また、このような位置決め部２２を設けると、地震等による排水マット５の水平方向に対する位置ズレを防止できるので好ましい。
【００３７】
尚、位置決め部２２は、任意の形状に形成することが可能で、台形状以外の方形状や三角形状に形成してもよい。例えば、図６に示す仕切材１０Ｂのように、立起用切欠部２０に代えて略コ字状の立起用切欠部２０Ｂを形成し、台形状の位置決め部２２に代えて方形状の位置決め部２２Ｂを立起可能の形成してもよいし、図７に示す仕切材１０Ｃのように、立起用切欠部２０に代えて固定部１１の側縁から途中部まで延びる立起用切欠部２０Ｃを形成し、この立起用切欠部２０Ｃの奧部に方形状や三角形状の位置決め部２２Ｃを立起可能に形成してもよい。また、図１に仮想線で示すように、位置決め部２２の端部に排水マット５側へ折曲可能な係合部２３を一体的に形成し、この係合部２３を排水マット５に係合させ、地震等による排水マット５端部の上下方向や水平方向に対する位置ズレを防止してもよい。係合部２３としては、排水マット５に挿入可能な形状であれば、三角形状や鋸歯状などの任意の形状のものを採用できる。但し、この位置決め部２２、２２Ｂ、２２Ｃは必ずしも必要なものではなく、省略することも可能である。
【００３８】
次に、仕切材１０の具体例について説明すると、図３に示すように、例えば厚さ１ｍｍ、幅１５０ｍｍ、長さＬ１が２０００ｍｍのステンレス鋼板をその幅方向の途中部で折曲して、幅Ｗ１が８０ｍｍの固定部１１と、高さＨ１が７０ｍｍの仕切部１２とを形成し、固定部１１に底辺の長さＢが８０ｍｍの二等辺三角形状の折曲用切欠部１７を仕切材１０の長さ方向に２５０ｍｍのピッチＰで一定間隔おきに形成し、仕切部１２の下部に仕切部１２の下端からの高さＨ２が３０ｍｍの範囲に、直径５ｍｍの排水孔１５を千鳥状に形成した排水部１６を仕切材１０の全長に形成し、固定部１１に仕切部１２からの距離Ｌ２が２５ｍｍの位置に高さＨ３が２０ｍｍの略Ｕ字状の立起用切欠部２０を形成することになる。
【００３９】
連結手段１３は、図２、図８に示すように、薄層緑化積層体４側において仕切部１２と固定部１１とに沿って配置可能な縦壁部３０と水平壁部３１とを有する断面略Ｌ字状の連結板３２と、仕切部１２に連結板３２を固定するボルト部材３３及びナット部材３４とを備えている。
【００４０】
仕切部１２の両端部上部にはボルト部材３３の取付孔３５が形成され、連結板３２の縦壁部３０の両端上部には取付孔３５に対応させてボルト部材３３の挿通孔３６が形成されている。連結板３２の挿通孔３６間の距離は、隣接する仕切材１０を突き合わせた状態で、その突き合わせ側において隣接する取付孔３５間の距離と同じに設定され、２本の仕切材１０を略隙間なく直列状に連結できるように構成されている。
【００４１】
縦壁部３０の高さは仕切材１０の折返部１４の下端の高さよりも高く設定され、連結板３２はその縦壁部３０の上端部を折返部１４に内嵌装着することにより強固に組付けられている。縦壁部３０の下部には仕切材１０の排水孔１５に対応させて排水孔３７が形成され、連結板３２を仕切材１０に組み付けた状態で両排水孔１５，３７を連通させることで、連結板３２を設けた位置における排水性の低下を防止できるように構成されている。
【００４２】
水平壁部３１には折曲用切欠部１７に対応させて折曲用切欠部３８が形成され、仕切材１０をその連結部分において薄層緑化積層体４の外縁形状に応じて折曲できるように構成されている。
【００４３】
この連結手段１３を用いて２本の仕切材１０を連結する際には、縦壁部３０の上端部を折返部１４に内嵌装着して、縦壁部３０と水平壁部３１とを仕切材１０の仕切部１２と固定部１１とに密接させ、更に両排水孔１５，３７が連通するように連結板３２を位置合わせした状態で、２本のボルト部材３３を２つの取付孔３５と挿通孔３６とにわたってそれぞれ挿通させて、ボルト部材３３にナット部材３４を締結することで、２本の仕切材１０を直列状に連結することになる。
【００４４】
尚、連結板３２に形成する排水孔３７の直径を仕切材１０に形成する排水孔１５よりも多少大径に構成して、両排水孔１５，３７とが容易に連通できるようにで構成してもよい。また、ボルト部材３３とナット部材３４に代えて、リベット等の固定具を介して連結板３２と仕切材１０とを連結してもよいし、これらの固定具と接着剤とを併用して連結板３２を仕切材１０と連結してもよい。更に、連結板３２を省略して隣接する仕切材１０の少なくとも仕切部１２を重ね合わせ、この重ね合わせた部分において前述のような固定具で両仕切材１０を連結してもよい。
【００４５】
尚、本発明に係る仕切材１０は、軽量は薄層緑化積層体を備えた薄層緑化設備であれば、任意の構成の薄層緑化設備に対しても適用できる。
【００４６】
【発明の効果】
本発明に係る薄層緑化設備用仕切材によれば、仕切部の下部にその略全長にわたって、複数の排水孔を打抜金網状に形成してなる排水部を設けることにより、排水孔の総開口面積を十分に確保できるとともに、排水孔を仕切材の全長にわたって略均一に分散できる。このため、薄層緑化積層体から外部への排水を円滑に且つ仕切材の全長にわたって均一に行うことが可能となり、仕切材の排水不良に起因する、薄層緑化設備の部分的な降雨水の上昇や、仕切材における降雨水の越流を防止して、降雨水による培土の流失や移動、風による消失を効果的に防止でき、薄層緑化設備の耐久性を向上できる。
【００４７】
また、排水部を薄層緑化積層体に積層される遮根シートに対面する位置よりも下側にのみ形成しているので、排水孔からセダム等の植生の根が外部へ伸びることを防止して、植生の根による薄層緑化設備の外観低下を防止できる。
【００４８】
仕切部の単位長さ当たりの排水孔の総開口面積を１２０００〜３００００ｍｍ2／ｍに設定すると、仕切材の強度を十分に確保しつつ、その肉厚を極力薄肉に構成して、仕切材の製作コストの上昇を抑制できるとともに、十分な排水性能を確保できる。
【００４９】
固定部に位置決め部を立起可能に形成すると、仕切材を薄層緑化積層体の側縁に沿って施工するときに、位置決め部を立起させて、位置決め部が薄層緑化積層体の下部に配置される排水マットの側縁に当接するように仕切材を施工することで、仕切部と薄層緑化積層体の排水マット間に一定幅の排水溝を容易に形成することが可能となる。そして、このような排水溝を形成することで、仕切部の長さ方向の各部における、排水マットから仕切部へ供給される降雨水量のバラツキを排水溝内において平滑にして、薄層緑化積層体から外部への排水を仕切材の全長にわたってより均一に行うことが可能となり、仕切材の排水性能を一層向上することが可能となる。また、位置決め部は予め立起させておいてもよいが、施工時に立起させるように構成すると、仕切材をコンパクトに重ねて配置できるので、仕切材の輸送性や保管性を向上できる。更に、このような位置決め部を設けると、地震等による排水マットの水平方向に対する位置ズレを防止できるので好ましい。
【００５０】
本発明に係る薄層緑化設備よれば、本発明に係る仕切材を用い、仕切部の下部にその略全長にわたって打抜金網状の複数の排水孔が形成されるので、薄層緑化積層体から外部への排水を円滑に且つ仕切材の全長にわたって均一に行うことが可能となり、仕切材の排水不良に起因する、薄層緑化設備の部分的な降雨水の上昇や、仕切材における降雨水の越流を防止して、降雨水による培土の流失や移動、風による消失を効果的に防止でき、薄層緑化設備の耐久性を向上できる。
【００５１】
ここで、仕切材として位置決め部を立起させた仕切材を用い、位置決め部に排水マットの側縁を当接させて薄層緑化積層体を設置し、薄層緑化積層体の排水マットと仕切部間に一定幅の排水溝を形成すると、仕切部の長さ方向の各部における、排水マットから仕切部へ供給される降雨水量のバラツキを排水溝内において平滑にして、薄層緑化積層体から外部への排水を仕切材の全長にわたってより均一に行うことが可能となり、仕切材の排水性能を一層向上することが可能となる。
【００５２】
薄層緑化設備の外縁部を構成する複数の仕切材を連結手段で直列状に連結すると、薄層緑化設備における仕切材の取付強度を格段に向上でき、強風等により仕切材が吹き飛ばされるのを確実に防止できる。また、仕切部と固定部とにわたって連結板を密接させるので、曲げや捻れに対する仕切材の連結強度を十分に確保できる。
【図面の簡単な説明】
【図１】  薄層緑化設備の側縁付近の縦断面図
【図２】  仕切材の連結部分の分解斜視図
【図３】  （ａ）は仕切材の平面図、（ｂ）は仕切材の正面図
【図４】  仕切材の位置決め部付近の要部平面図
【図５】  他の実施例に係る仕切材の（ａ）は平面図、（ｂ）は正面図
【図６】  他の実施例に係る仕切材の位置決め部付近の平面図
【図７】  他の実施例に係る仕切材の位置決め部付近の平面図
【図８】  隣接する仕切材の連結部分における図１相当図
【図９】  従来の薄層緑化設備における排水方法の説明図
【符号の説明】
１      薄層緑化設備      ２      建築物
３      防水シート        ４      薄層緑化積層体
５      排水マット        ６      遮根シート
７      植生マット        ８      排水溝
１０    仕切材            １１    固定部
１２    仕切部            １３    連結手段
１４    折返部            １５    排水孔
１６    排水部            １７    折曲用切欠部
１８    補強部            ２０    立起用切欠部
２１    折目線            ２１ａ  折曲案内部
２２    位置決め部        ２３    係合部
１０Ａ  仕切材
１０Ｂ  仕切材            ２０Ｂ  立起用切欠部
２２Ｂ  位置決め部
１０Ｃ  仕切材            ２０Ｃ  立起用切欠部
２２Ｃ  位置決め部
３０    縦壁部            ３１    水平壁部
３２    連結板            ３３    ボルト部材
３４    ナット部材        ３５    取付孔
３６    挿通孔            ３７    排水孔
３８    折曲用切欠部
【図１】
0004161011.tif 000002
【図２】
0004161011.tif 000003
【図３】
0004161011.tif 000004
【図４】
0004161011.tif 000005
【図５】
0004161011.tif 000006
【図６】
0004161011.tif 000007
【図７】
0004161011.tif 000008
【図８】
0004161011.tif 000009
【図９】
0004161011.tif 000010